(57)【要約】【課題】ユーザに広告をより効果的に視聴させることが出来る携帯端末装置を提供する。【解決手段】  携帯端末装置６０は、広告コンテンツを記憶する主記憶部６４と、広告コンテンツの視聴の可否を示す視聴フラグを記憶する端末情報記憶部６５と、主記憶部６４から広告コンテンツを読み出して再生する制御部６１とを有する。制御部６１は、電源オン時に視聴フラグを参照し、視聴フラグが視聴可を指定する場合には、主記憶部６４から広告コンテンツを読み出して再生する。【選択図】図１
2008217516.tif 000002
【特許請求の範囲】
【請求項１】
広告コンテンツ及び該広告コンテンツの視聴の可否を示す視聴フラグを記憶する記憶部と、該記憶部から前記広告コンテンツを読み出して再生する制御部とを有する携帯端末装置であって、
前記制御部は、電源オン時に前記視聴フラグを参照し、該視聴フラグが視聴可を指定する場合には、前記記憶部から前記広告コンテンツを読み出して再生することを特徴とする携帯端末装置。
【請求項２】
前記広告コンテンツの再生は、記憶部に記憶され該記憶部から読み出された再生アプリケーションによって行われる、請求項１に記載の携帯端末装置。
【請求項３】
前記広告コンテンツには、広告対象に関連するＷＥＢページのＵＲＬが含まれており、前記再生アプリケーションは前記広告コンテンツの再生に関連して、携帯端末装置のユーザに対してＵＲＬへのアクセスを促す、請求項１又は２に記載の携帯端末装置。
【請求項４】
前記制御部は、
前記広告コンテンツの再生、及び／又は、該広告コンテンツに関連するＷＥＢページのＵＲＬへのアクセスが発生すると、前記記憶部に記憶された広告コンテンツの再生回数、及び／又は、ＵＲＬへのアクセス回数をインクリメントし、
前記記憶部から前記広告コンテンツの再生回数及び前記ＵＲＬへのアクセス回数を読み出して、指定されたサーバに送信する、請求項１〜３の何れか一に記載の携帯端末装置。
【請求項５】
前記広告コンテンツがプリインストールされている、請求項１〜４の何れか一に記載の携帯端末装置。
【請求項６】
広告コンテンツ及び該広告コンテンツを再生した回数を記憶する記憶部を有する携帯端末装置に対して、前記広告コンテンツの視聴の可否を示す視聴フラグを前記携帯端末装置の記憶部に書き込む契約情報書込端末と、前記携帯端末装置を所有するユーザの情報を記憶するユーザ情報管理サーバとを有し、
前記ユーザ情報管理サーバは、前記携帯端末装置から広告コンテンツの再生回数情報を受信すると、該再生回数情報をユーザ情報として記憶する記憶部と、
前記ユーザ情報を間欠的に読み出して、広告コンテンツを提供した広告代理店の端末装置に送信する広告情報集計部とを備えることを特徴とする広告管理システム。
【請求項７】
前記携帯端末装置は、電源オン時に前記広告コンテンツを再生する再生アプリケーションを起動する、請求項６に記載の広告管理システム。
【請求項８】
前記広告コンテンツには、広告対象に関連するＷＥＢページのＵＲＬが含まれており、前記再生アプリケーションは、前記広告コンテンツの再生後に、携帯端末装置のユーザに対してＵＲＬへのアクセスを促す、請求項７に記載の広告管理システム。
【請求項９】
広告コンテンツ、該広告コンテンツの視聴の可否を示す視聴フラグ、及び、前記広告コンテンツを再生した回数を記憶する記憶部を有する携帯端末装置から、前記記憶部に記憶された情報を受信するユーザ情報管理サーバを用いて広告を管理する方法であって、
ユーザ情報管理サーバが、前記携帯端末装置から広告コンテンツの再生回数情報を受信すると、該再生回数情報をユーザ情報として記憶するステップと、
ユーザ情報管理サーバが、前記ユーザ情報を間欠的に読み出して、広告コンテンツを提供した広告代理店の端末装置に送信するステップとを有することを特徴とする広告管理方法。
【請求項１０】
プリインストールされた広告コンテンツ、該広告コンテンツの視聴の可否を示す視聴フラグ、及び、前記広告コンテンツを再生した回数を記憶する記憶部を有する携帯端末装置から、前記記憶部に記憶された情報を受信するユーザ情報管理サーバを有する広告管理システムのためのプログラムであって、前記ユーザ情報管理サーバに、
前記携帯端末装置から広告コンテンツの再生回数情報を受信すると、該再生回数情報をユーザ情報として記憶する処理と、
前記ユーザ情報を間欠的に読み出して、広告コンテンツを提供した広告代理店の端末装置に送信する処理とを実行させることを特徴とするプログラム。
【発明の詳細な説明】
【技術分野】
【０００１】
本発明は、携帯端末装置、広告管理システム、広告管理方法、及び、プログラムに関し、更に詳しくは、携帯端末装置、携帯端末装置を用いた広告管理システム、広告管理方法及び、プログラムに関する。
【背景技術】
【０００２】
近年の携帯電話は、電話機能だけでなく、メール送受信やインターネット閲覧といった種々の機能を備えている。ところで、多くの企業は、携帯電話を介してユーザに自社の広告を多く視聴させたいという要望を持っている。従来の携帯電話では、例えばユーザがインターネット閲覧機能を利用してポータルサイトを閲覧した際に、広告が表示される。
【０００３】
従来の携帯電話には、プリインストール・コンテンツとして、着信等に用いる音楽データ、待受画像等の画像データ、或いは、商用アプリケーション購入に導くための試用版アプリケーションといったものが格納されているが、広告はなかった。メール送受信やインターネット閲覧等の機能を有する携帯電話については、例えば特許文献１に記載されている。
【特許文献１】特開２００４−０８０５５２号公報
【発明の開示】
【発明が解決しようとする課題】
【０００４】
ところが、ユーザは、インターネット閲覧機能を利用した際に、必ずしもポータルサイトを閲覧する訳ではないため、広告に接する機会が少なかった。このため、従来は、ユーザに広告を効果的に視聴させることが出来なかった。
【０００５】
ユーザに広告を効果的に視聴させるために、広告コンテンツをプリインストールして、広告を表示させることが考えられるが、ユーザの意向を無視して携帯電話に広告を表示させることは望ましくない。また、従来の携帯電話では、ユーザがどれだけ広告を視聴しているかを携帯電話事業者側で把握する手段がなかった。
【０００６】
本発明は、上記に鑑み、ユーザの意向を無視することなくユーザに広告をより効果的に視聴させることが出来る携帯端末装置、そのような携帯端末装置を用いた広告管理システム、広告管理方法、及び、プログラムを提供することを目的とする。
【課題を解決するための手段】
【０００７】
上記目的を達成するために、本発明の携帯端末装置は、
広告コンテンツ及び該広告コンテンツの視聴の可否を示す視聴フラグを記憶する記憶部と、該記憶部から前記広告コンテンツを読み出して再生する制御部とを有する携帯端末装置であって、
前記制御部は、電源オン時に前記視聴フラグを参照し、該視聴フラグが視聴可を指定する場合には、前記記憶部から前記広告コンテンツを読み出して再生することを特徴とする。
【０００８】
本発明の広告管理システムは、
広告コンテンツ及び該広告コンテンツを再生した回数を記憶する記憶部を有する携帯端末装置に対して、前記広告コンテンツの視聴の可否を示す視聴フラグを前記携帯端末装置の記憶部に書き込む契約情報書込端末と、前記携帯端末装置を所有するユーザの情報を記憶するユーザ情報管理サーバとを有し、
前記ユーザ情報管理サーバは、前記携帯端末装置から広告コンテンツの再生回数情報を受信すると、該再生回数情報をユーザ情報として記憶する記憶部と、
前記ユーザ情報を間欠的に読み出して、広告コンテンツを提供した広告代理店の端末装置に送信する広告情報集計部とを備えることを特徴とする。
【０００９】
本発明の広告管理方法は、
広告コンテンツ、該広告コンテンツの視聴の可否を示す視聴フラグ、及び、前記広告コンテンツを再生した回数を記憶する記憶部を有する携帯端末装置から、前記記憶部に記憶された情報を受信するユーザ情報管理サーバを用いて広告を管理する方法であって、
ユーザ情報管理サーバが、前記携帯端末装置から広告コンテンツの再生回数情報を受信すると、該再生回数情報をユーザ情報として記憶するステップと、
ユーザ情報管理サーバが、前記ユーザ情報を間欠的に読み出して、広告コンテンツを提供した広告代理店の端末装置に送信するステップとを有することを特徴とする。
【００１０】
本発明のプログラムは、
プリインストールされた広告コンテンツ、該広告コンテンツの視聴の可否を示す視聴フラグ、及び、前記広告コンテンツを再生した回数を記憶する記憶部を有する携帯端末装置から、前記記憶部に記憶された情報を受信するユーザ情報管理サーバを有する広告管理システムのためのプログラムであって、前記ユーザ情報管理サーバに、
前記携帯端末装置から広告コンテンツの再生回数情報を受信すると、該再生回数情報をユーザ情報として記憶する処理と、
前記ユーザ情報を間欠的に読み出して、広告コンテンツを提供した広告代理店の端末装置に送信する処理とを実行させることを特徴とする。
【発明の効果】
【００１１】
本発明の携帯端末装置によれば、携帯端末装置の電源オン時に広告コンテンツを再生するようにしたので、ユーザに広告をより効果的に視聴させることが出来る。広告コンテンツの再生に際しては、ユーザの意思によって設定された視聴フラグを参照して、その再生の可否を確認するため、ユーザが不快に感じることを防止できる。
【００１２】
本発明の携帯端末装置では、前記広告コンテンツの再生は、記憶部に記憶され該記憶部から読み出された再生アプリケーションによって行われてもよい。記憶部は、広告コンテンツを記憶する記憶部であってもよく、これとは別の記憶部であってもよい。
【００１３】
本発明の携帯端末装置の好適な態様では、前記広告コンテンツには、広告対象に関連するＷＥＢページのＵＲＬが含まれており、前記再生アプリケーションは前記広告コンテンツの再生に関連して、携帯端末装置のユーザに対してＵＲＬへのアクセスを促す。広告コンテンツの再生後にユーザを広告対象に関連するＷＥＢページに誘導することによって、販促効果を高めることが出来る。
【００１４】
本発明の携帯端末装置の好適な態様では、前記制御部は、
前記広告コンテンツの再生、及び／又は、該広告コンテンツに関連するＷＥＢページのＵＲＬへのアクセスが発生すると、前記記憶部に記憶された広告コンテンツの再生回数、及び／又は、ＵＲＬへのアクセス回数をインクリメントし、
前記記憶部から前記広告コンテンツの再生回数及び前記ＵＲＬへのアクセス回数を読み出して、指定されたサーバに送信する。
サーバを所有する業者は、受信した広告コンテンツの再生回数及びＵＲＬへのアクセス回数の情報を、広告主や広告代理店に提示することによって、広告視聴に対する手数料などを得ることが出来る。
【００１５】
本発明の携帯端末装置では、前記広告コンテンツがプリインストールされてもよい。
【００１６】
本発明の広告管理システムによれば、広告情報集計部が、集計したユーザ情報を広告代理店の端末装置に送信することによって、ユーザ情報管理サーバを所有する業者は広告代理店から広告視聴に対する手数料などを得ることが出来る。
【００１７】
本発明の広告管理システムの好適な態様では、前記携帯端末装置は、電源オン時に前記広告コンテンツを再生する再生アプリケーションを起動する。また、前記広告コンテンツには、広告対象に関連するＷＥＢページのＵＲＬが含まれており、前記再生アプリケーションは、前記広告コンテンツの再生後に、携帯端末装置のユーザに対してＵＲＬへのアクセスを促す。
【発明を実施するための最良の形態】
【００１８】
以下に、添付図面を参照し、本発明の実施形態を更に詳しく説明する。図１は、本発明の一実施形態に係る広告管理システムの構成を示すブロック図である。広告管理システム１０は、インターネット等のネットワークを介して端末やサーバを相互に接続したシステムであって、広告主が所有する広告主端末１１〜１３、及び、広告情報ＷＥＢサーバ２０と、広告代理店が所有する広告素材管理サーバ３０と、携帯電話事業者が所有する広告パック管理サーバ４０、及び、ユーザ情報管理サーバ４１と、携帯電話販売店が所有する契約情報書込端末５０と、ユーザが所有する携帯電話（携帯端末装置）６０とを有する。広告情報ＷＥＢサーバ２０は、広告主がそれぞれ所有しているが、同図中は１つのみを示している。
【００１９】
広告主端末１１〜１３は、広告素材データ１００を記憶している。広告素材データ１００は、図２に例示するように、広告ＩＤと、広告素材と、広告対象ＵＲＬとを含んでいる。広告ＩＤは、広告主を示すデータと、その広告主が保有する広告の番号とを含んでいる。同図中で広告ＩＤにおける「Ａ−１」は、Ａ社の１番目の広告であることを示している。広告素材は静止画や動画のコンテンツであり、広告対象ＵＲＬは広告対象の詳細情報を掲載したＷＥＢページのＵＲＬである。このＷＥＢページは、各社が所有する広告情報ＷＥＢサーバ２０がインターネット上に公開している。
【００２０】
広告素材管理サーバ３０は、各社の広告主端末１１〜１３から広告素材データ１００を受信し、広告管理データ１０１を生成して記憶する。広告管理データ１０１は、図３に例示するように、「広告パック」という単位で纏められた各社の広告ＩＤデータから成る。
【００２１】
広告パック管理サーバ４０は、広告素材管理サーバ３０から広告パックに対応する広告素材データ１００を受信し、広告パック管理データ１０２を生成して保存する。広告パック管理データ１０２は、図４に例示するように、広告パックに含まれる広告ＩＤに対応する広告素材データ１００を有する。
【００２２】
広告素材データ１００は、携帯電話事業者から広告パック単位で携帯電話ベンダに提供される。携帯電話ベンダは、携帯電話６０に広告素材データ１００を広告パック単位でプリインストールして製造し、携帯電話事業者に納品する。広告パック管理データ１０２は、携帯電話６０にインストールした広告パック管理データ１０２の数のデータも有する。
【００２３】
ユーザ情報管理サーバ４１は、ユーザ情報を生成してその記憶部に記憶する。ユーザ情報１０３は、図５に例示するように、個々の携帯電話６０の管理情報であり、携帯電話６０の端末識別情報と、住所、年齢、利用料金支払い口座等の情報を含む契約者情報と、契約コース、利用履歴、電話番号、メールアドレス等の情報を含む契約情報１と、広告視聴の可否及び広告視聴による割引額の情報を含む契約情報２と、契約者の広告視聴履歴情報とで構成される。広告視聴履歴情報は、広告パックＮｏ．に対応して、広告再生回数及びＵＲＬのアクセス回数の情報を含んでいる。なお、端末識別情報、契約者情報、及び、契約情報１は、携帯電話事業者が所持する既存のユーザ情報と同様である。
【００２４】
ユーザ情報１０３は、携帯電話販売店でユーザに携帯電話６０を販売した際に、携帯電話販売店の契約情報書込端末５０から契約情報を受信して生成する。ユーザ情報管理サーバ４１は、また、その記憶部に記憶された広告再生回数及びＵＲＬのアクセス回数の情報を、定期的に集計する集計部を有する。契約情報書込端末５０は、携帯電話６０内のＳＩＭカードに、ユーザ情報管理サーバ４１が発行する端末識別情報や電話番号等の端末情報を記憶させる端末であり、この記憶時に、広告視聴の可否を示す視聴フラグも書き込む。本実施形態では、広告視聴を可としたユーザは、所定額の料金が基本料金から割引される特典が得られるものとする。
【００２５】
図１に戻り、携帯電話６０は、携帯電話事業者の基地局と無線通信を行う無線部（図示なし）と、端末全体の各種制御を行う制御部６１と、ユーザの操作入力を受け付ける入力装置（図示なし）と、画像や動画を表示する表示部６２と、回数カウント部６３とを有する。また、プログラムやデータ等を記憶する主記憶部６４と、端末識別情報や電話番号等の端末情報や視聴フラグを記憶する端末情報記憶部６５とを有する。端末情報記憶部６５は、前述のＳＩＭカードである。
【００２６】
主記憶部６４には、図６に示すように、端末の制御プログラム２０１と、広告パックＮｏ．及び広告素材データを含む広告パックデータ２０２と、広告再生回数及びＵＲＬへのアクセス回数を含む広告視聴履歴情報２０３と、静止画や動画のデータを再生するアプリケーションであるメディアプレーヤー２０４が格納されている。
【００２７】
電源オン時には、主記憶部６４に格納された制御プログラム２０１が起動し、制御部６１は、制御プログラム２０１に従った制御を行う。制御部６１は、制御プログラム２０１の起動に引き続き、端末情報記憶部６５に記憶された視聴フラグを参照し、視聴フラグが視聴可である場合には、主記憶部６４からメディアプレーヤー２０４を読み出して起動させると共に、広告素材データ１００を読み出して、表示部６２で再生する。
【００２８】
広告素材データ１００には、前述のように広告情報ＷＥＢサーバ２０が公開するＷＥＢページのＵＲＬが含まれており、メディアプレーヤー２０４は、広告素材データ１００の再生後に、ユーザに対してＵＲＬへのアクセスを促す画面を表示させる。ユーザがＵＲＬへのアクセスを選択した場合には、制御部６１は、ＷＥＢブラウザを起動して、画面上に広告情報ＷＥＢサーバ２０のＷＥＢページを表示させる。
【００２９】
回数カウント部６３は、広告素材データ１００の再生、及び／又は、広告素材データ１００の再生に後続するＵＲＬへのアクセスが発生すると、主記憶部６４に記憶された広告再生回数、及び／又は、ＵＲＬへのアクセス回数をインクリメントする。制御部６１は、タスクを実行していない時に、広告再生回数及びＵＲＬへのアクセス回数を含む広告視聴履歴情報２０３を、ユーザ情報管理サーバ４１に送信する。
【００３０】
以下に、広告管理システム１０における各種の動作を説明する。図７は、広告代理店の広告素材管理サーバ３０と、携帯電話事業者の広告パック管理サーバ４０との間で行われる広告パックの提供処理を示す。
【００３１】
広告素材管理サーバ３０は広告主端末１１〜１３から広告素材データ１００をそれぞれ受信した後、広告代理店の裁量に基づいて一つのパックとする広告素材を決め、広告管理データ１０１を生成する。また、生成した広告管理データ１０１を広告パック管理サーバ４０に送信する（ステップＳ１１）。広告パック管理サーバ４０は、広告素材管理サーバ３０から広告管理データ１０１を受信する。また、受信した広告管理データ１０１を参照して、広告パックに含まれる広告ＩＤに対応する広告素材データ１００を広告素材管理サーバ３０から受信して、広告パック管理データ１０２を生成する（ステップＳ１２）。
【００３２】
次いで、広告パック管理サーバ４０は、携帯電話ベンダに、生成した広告パック管理データ１０２に含まれる広告素材データ１００を提供し、携帯電話ベンダに提供した広告パック管理データ１０２の数をインストール数としてカウントする（ステップＳ１３）。引き続き、カウントしたインストール数の情報を広告素材管理サーバ３０に送信し（ステップＳ１４）、処理を終了する。広告素材管理サーバ３０は、広告パック管理サーバ４０からインストール数の情報を受信し（ステップＳ１５）、処理を終了する。
【００３３】
図８は、携帯電話事業者のユーザ情報管理サーバ４１と、携帯電話販売店の契約情報書込端末５０との間で行われる携帯電話６０の設定処理を示す。先ず、携帯電話６０の販売に際して、契約情報書込端末５０からユーザ情報管理サーバ４１に対して、ユーザ情報１０３の作成要求を行う（ステップＳ２１）。契約情報書込端末５０は、ユーザ情報１０３の作成要求に際して、携帯電話６０の機種名や契約者情報、契約コース等の契約に必要な情報をユーザ情報管理サーバ４１に送信する。
【００３４】
ユーザ情報管理サーバ４１は、ユーザ情報の作成要求及び契約に必要な情報を受信し、ユーザ情報１０３を生成する（ステップＳ２２）。ユーザ情報管理サーバ４１は、ユーザ情報１０３の生成に際して、ユーザ情報１０３の一部として、携帯電話６０で用いる端末識別情報や電話番号等の端末情報を生成する。ユーザ情報管理サーバ４１は、ユーザ情報１０３を生成した後、生成したユーザ情報１０３を記憶すると共に、契約情報書込端末５０に送信する（ステップＳ２３）。
【００３５】
契約情報書込端末５０は、ユーザ情報１０３を受信し（ステップＳ２４）、ユーザ情報１０３における端末識別情報や電話番号等の端末情報を携帯電話６０の端末情報記憶部６５に記憶させる（ステップＳ２５）。このとき、携帯電話６０を使用するユーザの希望に合わせて、広告視聴の可否を示す視聴フラグも併せて記憶させる。契約情報書込端末５０は、広告視聴の可否の情報を、ユーザ情報管理サーバ４１に送信する。ユーザ情報管理サーバ４１は、広告視聴の可否の情報を受信し、ユーザ情報１０３における契約情報２を更新して記憶する（ステップＳ２６）。
【００３６】
図９は、携帯電話６０で行われる広告視聴処理、及び、ユーザ情報管理サーバ４１で行われる広告視聴履歴情報の集計処理を順次に示す。携帯電話６０の電源をオンにすると（ステップＳ３１）、制御プログラム２０１が起動し、制御部６１は、制御プログラム２０１に従った制御を行う。制御プログラム２０１の起動に引き続き、制御部６１は、端末情報記憶部６５に記憶されている視聴フラグを参照し（ステップＳ３２）、視聴フラグが視聴可の状態である場合には、メディアプレーヤー２０４を起動して広告パックデータ２０２に含まれる広告素材データ１００を表示部６２を介して再生する（ステップＳ３３）。視聴フラグが視聴不可の状態である場合には、通常の通話待受状態に移行させた後（ステップＳ３４）、処理を終了する。
【００３７】
メディアプレーヤー２０４は、広告素材データ１００に広告対象ＵＲＬ情報が含まれている場合、広告素材データ１００の広告素材の再生後に広告対象ＵＲＬへアクセスするか否かを問い合せる画面を表示部６２に表示する（ステップＳ３５）。ユーザが広告対象ＵＲＬにアクセスすることを選択した場合には、回数カウント部６３は、広告視聴履歴情報２０３の再生回数を１回インクリメントすると共に、ＵＲＬアクセス回数も１回インクリメントして記憶する（ステップＳ３６）。
【００３８】
引き続き、制御部６１は、ＷＥＢブラウザを起動して、広告対象ＵＲＬに対応する広告情報ＷＥＢサーバ２０にアクセスし、詳細情報を表示させる（ステップＳ３７）。詳細情報の閲覧が終了したら通話待受状態に移行し、タスクを実行していないときに、広告視聴履歴情報２０３とその広告視聴履歴情報２０３に対応する広告パックＮｏ．を付けて、ユーザ情報管理サーバ４１へ送信する（ステップＳ３９）。
【００３９】
ステップＳ３５で、ユーザが広告対象ＵＲＬにアクセスすることを選択しなかった場合には、回数カウント部６３は、ＵＲＬアクセス回数は変更せずに，広告視聴履歴情報２０３の再生回数のみを１回インクリメントして記憶する（ステップＳ３８）。引き続き、ステップＳ３９に進む。
【００４０】
ユーザ情報管理サーバ４１は、携帯電話６０から広告視聴履歴情報２０３を受信すると（ステップＳ４０）、ユーザ情報１０３の一部として記憶する（ステップＳ４１）。次に、例えば１週間に１度などの所定のタイミングで携帯電話６０の全契約者のユーザ情報１０３を検索し、広告パックＮｏ．毎に広告視聴履歴情報を集計する（ステップＳ４２）。引き続き、集計した広告視聴履歴情報の集計値を広告代理店の広告素材管理サーバ３０に送信する（ステップＳ４３）。広告素材管理サーバ３０は、ユーザ情報管理サーバ４１から広告視聴履歴情報の集計値を受信する（ステップＳ４４）。
【００４１】
ビジネス的な流れを補足する。広告主は広告代理店に対して出稿料を支払い広告素材データ１００を提供する。広告代理店は携帯電話事業者に広告素材データ１００のプリインストールを依頼する。携帯電話事業者はインストール数と広告視聴履歴情報の集計値とを広告代理店に報告し、広告代理店はその対価として手数料を携帯電話事業者に支払う。
【００４２】
本実施形態の広告管理システム１０によれば、携帯電話６０の電源オン時に広告素材を再生させるようにしたので、ユーザに広告をより効果的に視聴させることが出来る。広告素材の再生に際しては、ユーザの意思に合わせて設定された視聴フラグを参照して、その再生の可否を確認するため、ユーザが不快に感じることを防止できる。また、広告視聴履歴情報を集計することによって、広告の視聴効果が明らかとなり、広告主、広告代理店、又は、携帯電話事業者の間で、広告の視聴に見合った手数料の支払い又は受取りが可能となる。
【００４３】
広告主は、広告対象ＵＲＬのソースを物販サイトとすることもでき、携帯電話６０のユーザをこの物販サイトに誘導し、利益を得ることが出来る。
【００４４】
以上、本発明をその好適な実施形態に基づいて説明したが、本発明に係る携帯端末装置、広告管理システム、広告管理方法、及び、プログラムは、上記実施形態の構成にのみ限定されるものではなく、上記実施形態の構成から種々の修正及び変更を施したものも、本発明の範囲に含まれる。
【図面の簡単な説明】
【００４５】
【図１】本発明の一実施形態に係る広告管理システムを示すブロック図である。
【図２】広告素材データを示すブロック図である。
【図３】広告管理データを示すブロック図である。
【図４】広告パック管理データを示すブロック図である。
【図５】ユーザ情報を示すブロック図である。
【図６】携帯電話の主記憶部に格納される情報を示すブロック図である。
【図７】広告素材管理サーバ及び広告パック管理サーバの動作手順を示すフローチャートである。
【図８】契約情報書込端末及びユーザ情報管理サーバの動作手順を示すフローチャートである。
【図９】携帯電話、ユーザ情報管理サーバ、及び、広告パック管理サーバの動作手順を示すフローチャートである。
【符号の説明】
【００４６】
１０：広告管理システム
１１〜１３：広告主端末
２０：広告情報ＷＥＢサーバ
３０：広告素材管理サーバ
４０：広告パック管理サーバ
４１：ユーザ情報管理サーバ
５０：契約情報書込端末
６０：携帯電話
６１：制御部
６２：表示部
６３：回数カウント部
６４：主記憶部
６５：端末情報記憶部
１００：広告素材データ
１０１：広告管理データ
１０２：広告パック管理データ
１０３：ユーザ情報
２０１：制御プログラム
２０２：広告パックデータ
２０３：広告視聴履歴情報
２０４：メディアプレーヤー
【図１】
2008217516.tif 000003
【図２】
2008217516.tif 000004
【図３】
2008217516.tif 000005
【図４】
2008217516.tif 000006
【図５】
2008217516.tif 000007
【図６】
2008217516.tif 000008
【図７】
2008217516.tif 000009
【図８】
2008217516.tif 000010
【図９】
2008217516.tif 000011